(57)【要約】      （修正有）【課題】タオルの収納容器またはタオルの収納棚には大雑把な開口を開けるだけで、使用するタオルの大きさ、形状、毛羽立ち度合いなどに適した取り出し口を後付で簡単に形成することができる取り出し口用保護具を提供する。【解決手段】タオルの収納容器またはタオルの収納棚の取り出し口１２に用いられる保護具であって、収納容器または収納棚の内側から取り出し口１２の縁部に取付けられる第一枠部材２と、収納容器または収納棚の外側から取り出し口１２の縁部に取付けられ、かつ第一枠部材２と接続する第二枠部材３を備え、第一枠部材２の開口縁は面取り加工がされている。第一枠部材２の第一円筒部５（５ａ）の外周面９と第二枠部材３の第三円筒部５（５ｂ）の内周面１０が嵌合することによって第一枠部材２と第二枠部材３が接続されて取り出し口用保護具となる。【選択図】図５
0003211501.tif 000002
【実用新案登録請求の範囲】
【請求項１】
タオルの収納容器またはタオルの収納棚の取り出し口に用いられる保護具であって、
前記収納容器または前記収納棚の内側から前記取り出し口の縁部に取付けられる第一枠部材と、
前記収納容器または前記収納棚の外側から前記取り出し口の縁部に取付けられ、かつ前記第一枠部材と接続する第二枠部材を備え、
前記第一枠部材の開口縁は面取り加工がされていることを特徴とする取り出し口用保護具。
【請求項２】
前記第一枠部材および前記第二枠部材が、
円形または多角形の開口を有するフランジ部と、
前記フランジ部の開口縁に立設した円筒部を備えたものであり、
前記第一枠部材の円筒部の外周面と前記第二枠部材の円筒部の内周面が嵌合することによって、前記第一枠部材と前記第二枠部材を接続するものであることを特徴とする請求項１に記載の取り出し口用保護具。
【請求項３】
前記第一枠部材および前記第二枠部材が、
円形または多角形の開口を有するフランジ部と、
前記フランジ部の開口縁に立設した円筒部を備えたものであり、
さらに前記第一枠部材の円筒部の外周面の一部または全部と、前記第二枠部材の円筒部の内周面の一部または全部にねじ溝を設け、
前記第一枠部材の円筒部の外周面に設けたねじ溝と前記第二枠部材の円筒部の内周面に設けたねじ溝を螺合することによって、前記第一枠部材と前記第二枠部材を接続するものであることを特徴とする請求項１に記載の取り出し口用保護具。
【請求項４】
前記第一枠部材が、
円形または多角形の開口を有するフランジ部と、
前記フランジ部の開口縁に立設した第一円筒部と、
前記第一円筒部の同心円上の外郭に立設した第二円筒部または前記第一円筒部の外郭に立設した角筒部を備えたものであり、
前記第二枠部材が、
円形または多角形の開口を有するフランジ部と、
前記フランジ部の開口縁に立設した第三円筒部を備えたものであり、
前記第一枠部材の第一円筒部と第二円筒部または前記第一枠部材の第一円筒部と角筒部によって形成される溝部の一部または全部に、前記第二枠部材の第三円筒部を嵌合することによって、前記第一枠部材と前記第二枠部材を接続するものであることを特徴とする請求項１に記載の取り出し口用保護具。
【請求項５】
前記第二枠部材が、
さらに前記第三円筒部の外郭に立設した角筒部を備えたものであり、
前記第一枠部材の第一円筒部の外周面と前記第二枠部材の円筒部の内周面が嵌合するとともに、前記第一枠部材の角筒部の外周面と前記第二枠部材の角筒部の内周面が嵌合することによって、前記第一枠部材と前記第二枠部材を接続するものであることを特徴とする請求項４に記載の取り出し口用保護具。
【請求項６】
前記第一枠部材および前記第二枠部材の外周が、
平面視多角形に形成されたものであることを特徴とする請求項１から請求項５のいずれか一項に記載の取り出し口用保護具。
【請求項７】
前記フランジ部に、
前記収納容器または前記収納棚に固定することができるビス孔を設けたことを特徴とする請求項１から請求項６のいずれか一項に記載の取り出し口用保護具。
【考案の詳細な説明】
【技術分野】
【０００１】
本考案は、タオルの収納容器またはタオルの収納棚の取り出し口に用いられる保護具に関するものである。
詳しくは、特定の形状を持つ２つの枠部材を用いることによって、タオルの収納容器またはタオルの収納棚には大雑把な開口を開けるだけで、使用するタオルの大きさ、形状、毛羽立ち度合いなどに適した取り出し口を後付で簡単に形成することができる取り出し口用保護具に関するものである。また、使用するタオルが変わった場合（使用するタオルの大きさ、形状、毛羽立ち度合いなどが変わった場合）であっても、別の取り出し口用保護具に交換するだけで、変更するタオルの大きさ、形状、毛羽立ち度合いなどに適した取り出し口を後付で簡単に形成することができる取り出し口用保護具に関するものである。
【背景技術】
【０００２】
従来から、図１０に示すような、収納容器や収納棚の底面に開口（取り出し口）を設けて下方からタオルＴを取り出すタイプのタオルの収納容器またはタオルの収納棚が知られており、例えば、非特許文献１記載の楽天市場が販売する商品名「タオルケース」や非特許文献２記載の楽天市場が販売する商品名「鏡面すきま収納タオルストッカー」などが販売されている。
【０００３】
このような従前のタオルの収納容器やタオルの収納棚は、収納容器や収納棚の底面に円形や多角形の開口を開けた後にその開口縁を加工したものが一般的であるが、このような開口は設けた開口がそのまま取り出し口になることから、開口位置や寸法を正確に決定した上で加工することが必要となるため、加工工程が煩雑になるという課題がある。
【０００４】
また、従前のタオルの収納容器やタオルの収納棚は、一度開口を開けてしまうと開口の位置、大きさ、面取り加工の度合いなどを簡単に修正、変更することができないことから、使用するタオルが変わった場合（使用するタオルの大きさ、形状、毛羽立ち度合いなどが変わった場合）には係るタオルに適した取り出し口とすることが困難になるという課題がある。さらに、変わったタオルに開口が適していない場合（使用するタオルの大きさや毛羽立ち度合いなどが開口に適していない場合）には、取り出しを繰り返すことによってタオルの傷みが早くなってしまったり、あるいは変更したタオルでは取り出し口からのスムースな取り出しができなくなってしまったりするという課題もある。
【０００５】
なお、特許文献１などにおいては、管を壁などに挿通する際に壁に設けた開口に挿入する保護具が開示されているが、タオルの収納容器またはタオルの収納棚の分野においては後付で簡単に取り付けることができる保護具は開発されていない。
【先行技術文献】
【特許文献】
【０００６】
【特許文献１】実開平４−７１８９５号公報
【非特許文献】
【０００７】
【非特許文献１】http://item.rakuten.co.jp/livingut/4904702202082/のＵＲＬのホームページに２０１７年２月１２日に掲載
【非特許文献２】http://item.rakuten.co.jp/stylemarket/4954877270485/のＵＲＬのホームページに２０１７年２月１２日に掲載
【考案の概要】
【考案が解決しようとする課題】
【０００８】
今般、本考案者は鋭意検討を行った結果、特定の形状を持つ２つの枠部材を用いることによって、タオルの収納容器またはタオルの収納棚には大雑把な開口を開けるだけで、使用するタオルの大きさ、形状、毛羽立ち度合いなどに適した取り出し口を後付で簡単に形成することができる取り出し口用保護具を開発するに至った。
また、使用するタオルが変わった場合（使用するタオルの大きさ、形状、毛羽立ち度合いなどが変わった場合）であっても、別の取り出し口用保護具に交換するだけで、変更するタオルの大きさ、形状、毛羽立ち度合いなどに適した取り出し口を後付で簡単に形成することができる取り出し口用保護具を開発するに至った。
【０００９】
本考案は、上記した従来の問題点に鑑みてなされたものであって、タオルの収納容器またはタオルの収納棚に設けた開口の大きさを気にすることなく後付で簡単に取り付けることができ、タオルを傷つけることなく取り出しやすくすることができる取り出し口用保護具の提供を目的とするものである。
【課題を解決するための手段】
【００１０】
上記目的を達成するために、本考案の請求項１に係る取り出し口用保護具は、タオルの収納容器またはタオルの収納棚の取り出し口に用いられる保護具であって、収納容器または収納棚の内側から取り出し口の縁部に取付けられる第一枠部材と、収納容器または収納棚の外側から取り出し口の縁部に取付けられ、かつ第一枠部材と接続する第二枠部材を備え、第一枠部材の開口縁は面取り加工がされていることを特徴とする。
【００１１】
本考案の請求項２に係る取り出し口用保護具は、第一枠部材および第二枠部材が、円形または多角形の開口を有するフランジ部と、フランジ部の開口縁に立設した円筒部を備えたものであり、第一枠部材の円筒部の外周面と第二枠部材の円筒部の内周面が嵌合することによって、第一枠部材と第二枠部材を接続するものであることを特徴とする。
【００１２】
本考案の請求項３に係る取り出し口用保護具は、第一枠部材および第二枠部材が、円形または多角形の開口を有するフランジ部と、フランジ部の開口縁に立設した円筒部を備えたものであり、さらに第一枠部材の円筒部の外周面の一部または全部と、第二枠部材の円筒部の内周面の一部または全部にねじ溝を設け、第一枠部材の円筒部の外周面に設けたねじ溝と第二枠部材の円筒部の内周面に設けたねじ溝を螺合することによって、第一枠部材と第二枠部材を接続するものであることを特徴とする。
【００１３】
本考案の請求項４に係る取り出し口用保護具は、第一枠部材が、円形または多角形の開口を有するフランジ部と、フランジ部の開口縁に立設した第一円筒部と、第一円筒部の同心円上の外郭に立設した第二円筒部または第一円筒部の外郭に立設した角筒部を備えたものであり、第二枠部材が、円形または多角形の開口を有するフランジ部と、フランジ部の開口縁に立設した第三円筒部を備えたものであり、第一枠部材の第一円筒部と第二円筒部または第一枠部材の第一円筒部と角筒部によって形成される溝部の一部または全部に、第二枠部材の第三円筒部を嵌合することによって、第一枠部材と第二枠部材を接続するものであることを特徴とする。
【００１４】
本考案の請求項５に係る取り出し口用保護具は、第二枠部材が、さらに第三円筒部の外郭に立設した角筒部を備えたものであり、第一枠部材の第一円筒部の外周面と第二枠部材の円筒部の内周面が嵌合するとともに、第一枠部材の角筒部の外周面と第二枠部材の角筒部の内周面が嵌合することによって、第一枠部材と第二枠部材を接続するものであることを特徴とする。
【００１５】
本考案の請求項６に係る取り出し口用保護具は、第一枠部材および第二枠部材の外周が、平面視多角形に形成されたものであることを特徴とする。
【００１６】
本考案の請求項７に係る取り出し口用保護具は、フランジ部に、収納容器または収納棚に固定することができるビス孔を設けたことを特徴とする。
【考案の効果】
【００１７】
本考案に係る取り出し口用保護具によれば、第一枠部材と第二枠部材という特定の形状を有する２つの枠部材を接続するだけで、タオルの収納容器またはタオルの収納棚に使用するタオルの大きさ、形状、毛羽立ち度合いなどに適した取り出し口を後付で簡単に形成することができる。そして、収納容器または収納棚の内側から取り出し口の縁部に取付けられる第一枠部材の開口縁は面取り加工をしていることから、取り出し口からタオルを引き出す際にタオルを傷つけることなくタオルを取り出すことができる。
また、タオルの収納容器またはタオルの収納棚には大雑把な開口を開けるだけで、後付で簡単に取り出し口を形成することができる。
さらに、使用するタオルが変わった場合（使用するタオルの大きさ、形状、毛羽立ち度合いなどが変わった場合）であっても、別の取り出し口用保護具に交換するだけで、変更するタオルの大きさ、形状、毛羽立ち度合いなどに適した取り出し口を後付で簡単に形成することができる。
【００１８】
本考案の請求項２に係る取り出し口用保護具によれば、第一枠部材および第二枠部材に特定の形態の円筒部を立設し、第一枠部材の円筒部の外周面と第二枠部材の円筒部の内周面を嵌合する構造としていることから、２つの枠部材を簡単かつ強固に接続することができる。
また、第二枠部材の円筒部が第一枠部材の円筒部の外側に位置する構造となることから、第一枠部材の円筒部が取り出し口の側面を形成することになり、第一枠部材の開口縁に施した面取り加工との相乗効果によって、タオルをひっかけることなく、スムースに取り出すことができることになる。
【００１９】
本考案の請求項３に係る取り出し口用保護具によれば、第一枠部材および第二枠部材に特定の形態の円筒部を立設し、第一枠部材の円筒部の外周面と第二枠部材の円筒部の内周面を螺合する構造としていることから、２つの枠部材を簡単かつ強固に接続することができる。
また、第二枠部材の円筒部が第一枠部材の円筒部の外側に位置する構造となることから、第一枠部材の円筒部が取り出し口の側面を形成することになり、第一枠部材の開口縁に施した面取り加工との相乗効果によって、タオルをひっかけることなく、スムースに取り出すことができることになる。
【００２０】
本考案の請求項４に係る取り出し口用保護具によれば、第一枠部材の円筒部の同心円上の外郭に第二円筒部または角筒部を立設し、円筒部と第二円筒部または円筒部と角筒部によって形成される溝部に、第二枠部材の円筒部を嵌合する構造としていることから、２つの枠部材をより強固に接続することができる。
【００２１】
本考案の請求項５に係る取り出し口用保護具によれば、第二枠部材の円筒部の外郭に角筒部を立設した構造としていることから、第一枠部材の円筒部の外周面と第二枠部材の円筒部の内周面が嵌合するだけでなく、第一枠部材の角筒部の外周面と第二枠部材の角筒部の内周面も嵌合することになり、２つの枠部材をさらに強固に接続することができる。
【００２２】
本考案の請求項６に係る取り出し口用保護具によれば、第一枠部材および第二枠部材の外周を平面視多角形に形成した構造としていることから、タオルの収納容器またはタオルの収納棚に開ける開口の大きさや形状をより大雑把なものとすることができる。
【００２３】
本考案の請求項７に係る取り出し口用保護具によれば、フランジ部にビス孔を設けた構造としていることから、２つの枠部材を接続して構成した取り出し口用保護具が収納容器または収納棚の底面で回転することを有効に防止することができる。
【図面の簡単な説明】
【００２４】
【図１】本考案の第一の実施形態に係る取り出し口用保護具に用いる第一枠部材を示す模式図（図１（ａ）は平面図、図１（ｂ）はＡ−Ａ‘断面図）である。
【図２】本考案の第一の実施形態に係る取り出し口用保護具に用いる第二枠部材を示す模式図（図２（ａ）は平面図、図２（ｂ）はＢ−Ｂ‘断面図）である。
【図３】本考案の第二の実施形態に係る取り出し口用保護具に用いる第一枠部材を示す模式図（図３（ａ）は平面図、図３（ｂ）はＣ−Ｃ‘断面図）である。
【図４】本考案の第二の実施形態に係る取り出し口用保護具に用いる第二枠部材を示す模式図（図４（ａ）は平面図、図４（ｂ）はＤ−Ｄ‘断面図）である。
【図５】本考案の第一の実施形態に係る取り出し口用保護具の設置手順を示す模式図である。
【図６】本考案の第二の実施形態に係る取り出し口用保護具の設置手順を示す模式図である。
【図７】本考案の取り出し口用保護具をタオルの収納棚に設置した状態を上方から見た模式図である。
【図８】本考案の取り出し口用保護具をタオルの収納棚に設置した状態を下方から見た模式図である。
【図９】本考案の取り出し口用保護具を設置したタオルの収納棚にタオルを収納した状態を示す模式図である。
【図１０】従来のタオルの収納棚の取り出し口を示す模式図である。
【考案を実施するための形態】
【００２５】
本考案の実施形態を図面に基づいて説明する。なお、以下に述べる実施形態は本考案を具体化した一例に過ぎず、本考案の技術的範囲を限定するものでない。
図１は本考案の第一の実施形態に係る取り出し口用保護具に用いる第一枠部材を示す模式図（図１（ａ）は平面図、図１（ｂ）はＡ−Ａ‘断面図）であり、図２は本考案の第一の実施形態に係る取り出し口用保護具に用いる第二枠部材を示す模式図（図２（ａ）は平面図、図２（ｂ）はＢ−Ｂ‘断面図）であり、図３は本考案の第二の実施形態に係る取り出し口用保護具に用いる第一枠部材を示す模式図（図３（ａ）は平面図、図３（ｂ）はＣ−Ｃ‘断面図）であり、図４は本考案の第二の実施形態に係る取り出し口用保護具に用いる第二枠部材を示す模式図（図４（ａ）は平面図、図４（ｂ）はＤ−Ｄ‘断面図）である。
【００２６】
（基本構造）
本考案の取り出し口用保護具１は、図１〜４に示すように、第一枠部材２と第二枠部材３を備えることを基本構造とするものであり、係る第一枠部材２と第二枠部材３を接続することによって形成されるものである。ここで、第一枠部材２は、収納容器または収納棚の内側（収納容器または収納棚の底板の上面側）から、予め収納容器または収納棚の底板に設けた開口（取り出し口）の縁部に取付けられるものであり、第二枠部材３は収納容器または収納棚の外側（収納容器または収納棚の底板の下面側）から、予め収納容器または収納棚の底板に設けた開口（取り出し口）の縁部に取付けられるものである。
このように、本考案の取り出し口用保護具１は、第一枠部材２と第二枠部材３という特定の形状を有する２つの枠部材を接続することによって収納容器または収納棚の底板に設けた開口を保護する構造となっていることから、タオルの収納容器またはタオルの収納棚に使用するタオルの大きさ、形状、毛羽立ち度合いなどに適した取り出し口を後付で簡単に形成することができるのである。また、タオルの収納容器またはタオルの収納棚には大雑把な開口を開けるだけで、後付で簡単に取り出し口を形成することができるのである。さらに、使用するタオルが変わった場合（使用するタオルの大きさ、形状、毛羽立ち度合いなどが変わった場合）であっても、別の取り出し口用保護具に交換するだけで、変更するタオルの大きさ、形状、毛羽立ち度合いなどに適した取り出し口を後付で簡単に形成することができるのである。
【００２７】
なお、接続の形態については特に限定されるものではないが、後記する嵌合構造（第一の実施形態）または螺合構造（第二の実施形態）を採用すれば、２つの枠部材を簡単かつ強固に接続することができるので好適である。
【００２８】
第一枠部材２と第二枠部材３の材質については特に限定されず、プラスチック、金属、木などを採用することができる。
【００２９】
（第一枠部材）
本考案の取り出し口用保護具に用いられる第一枠部材２は、図１や図３に示すような円形の開口やあるいは図示しないが多角形の開口を有するフランジ部４と、係るフランジ部４の開口縁に立設した円筒部５（以下、第一円筒部５（５ａ）という）を備えることを基本構造とするものである。
このように、本考案の取り出し口用保護具に用いられる第一枠部材２は、フランジ部４を備える構造とすることによって、タオルの収納容器またはタオルの収納棚には大雑把な開口を開けた状態でも係る開口を覆って取り出し口を形成することができ、フランジ部４の開口縁に第一円筒部５（５ａ）を立設した構造とすることによって、後記する第二枠部材３の円筒部５を簡単かつ強固に接続することができるのである。
【００３０】
また、第一枠部材２の開口縁６は面取り加工されている構造となっているものである。このように、第一枠部材２の開口縁６を特定の形態としていることによって、取り出し口からタオルを引き出す際にタオルを傷つけることなく取り出すことができるのである。
なお、本考案の取り出し口用保護具は、第一枠部材２の開口縁６を面取り加工することを必須の構成要件の１つとするものであるが、第二枠部材３の開口縁を面取り加工すれば、タオルをより傷つけることなく取り出すことができるので好適である。
【００３１】
さらに、第一枠部材２と第二枠部材３は、予め収納容器または収納棚の底板に設けた開口（取り出し口）内において、第一枠部材２の方が内側に位置するように接続される構造となるものである。
【００３２】
また、本考案の取り出し口用保護具に用いられる第一枠部材２は、フランジ部４と第一円筒部５（５ａ）に加えて、図１に示すように係る第一円筒部５（５ａ）の同心円上の外郭に角筒部７（７ａ）を立設した構造としたり、あるいは図示しないが第一円筒部５（５ａ）の同心円上の外郭に第二円筒部を立設した構造としたりすれば、第二枠部材３の円筒部５をより簡単かつ強固に接続することができるので好適である。
【００３３】
また、フランジ部４の外周、すなわち第一枠部材２の外周の形状（平面視における形状）は特に限定されるものではなく、図１に示すような四角形（多角形）でも図３に示すような円形でもよいが、多角形とすれば予め収納容器または収納棚の底板に設ける開口をより大雑把なものとしても係る開口を覆うことができるので好適である。
【００３４】
さらに、フランジ部４については、ビス孔８を設ける構造とすれば収納容器または収納棚に固定することができるので好適である。
なお、係るビス孔８は、第一枠部材２と第二枠部材３の接続形態に後記する嵌合構造を採用する場合において特に有効なものとなる。つまり、接続形態に後記する螺合構造を採用した場合には、螺合による締め付け効果によって第一枠部材２と第二枠部材３が収納容器または収納棚の底板上に一定の力で固定されることになるため、設置後の第一枠部材２および第二枠部材３が収納容器または収納棚の底板上において回転することをある程度防止することができることになるが、嵌合構造を採用した場合には係る締め付け効果が螺合構造に比べて低くなることから、ビス孔８を設けてビスによる固定を行うことによって、設置後の第一枠部材２および第二枠部材３が収納容器または収納棚の底板上において回転することを有効に防止することができることになるのである。
ビス孔８については、ビスを用いて固定した状態においてビスの頭がフランジ部４（特に、第一枠部材２のフランジ部４）から突出してしまうと、タオルを取り出す際にビスの頭がタオルに引っかかってしまってタオルを傷付けてしまう恐れがあることから、ビス孔８の形状をテーパー状とし、ビスについては皿ネジを用いる形態とすることが好ましい。
また、第一枠部材２と第二枠部材３は接続されることになる、すなわち第二枠部材３が収納容器または収納棚の底板に固定されると第一枠部材２もある程度の力で固定されることになることから、第二枠部材３にのみビス孔８を設けて、第二枠部材３のみをビスで収納容器または収納棚の底板に固定する形態とすれば、タオルを傷付けることをより有効に防止しつつ、第一枠部材２と第二枠部材３を収納容器または収納棚の底板に固定することができるので好適である。
さらに、第二枠部材３にのみビス孔８を設けるとともに、第一枠部材２には第二枠部材３に設けたビス孔８と同じ孔径、ネジ溝形状のビス孔８を、第二枠部材３と対向する面（第一枠部材２のフランジ部４の収納容器または収納棚の底板に接する面）に設けて、第二枠部材３のビス孔８から第二枠部材３とともに第一枠部材２をビスで固定する形態とすれば、第一枠部材２と第二枠部材３を一体としてより強固に接続しつつ、タオルを傷付けることをより有効に防止し、さらに第一枠部材２と第二枠部材３を収納容器または収納棚の底板に固定することができるので好適である。
【００３５】
第一枠部材２は、フランジ部４と第一円筒部５（５ａ）（場合によっては角筒部７（７ａ）または第二円筒部）を別々に作製して、接着等結合することによって作製するものでもよいが、プラスチックの一体成型によって作製すればより強度を確保することができるので好適である。
【００３６】
（第二枠部材）
本考案の取り出し口用保護具に用いられる第二枠部材３は、図２や図４に示すような円形の開口やあるいは図示しないが多角形の開口を有するフランジ部４と、係るフランジ部４（４ｂ）の開口縁に立設した円筒部５（以下、第三円筒部５（５ｂ）という）を備えることを基本構造とするものである。また、予め収納容器または収納棚の底板に設けた開口（取り出し口）内において、第一枠部材２（より具体的には第一円筒部５（５ａ））の方が内側に位置するように接続される構造となるものである。
このように、本考案は、第二枠部材３についても第一枠部材２と同様の構造（フランジ部４と円筒部５を備える構造）とすることによって、２つの枠部材を簡単に接続することができることになるのである。また、第一枠部材２（より具体的には第一円筒部５（５ａ））の方を内側に位置するように接続する構造とすることによって、取り出し口からタオルを引き出す際にタオルを傷つけることなく取り出すことができることになるのである。
【００３７】
また、第二枠部材３についても第一枠部材２と同様に、フランジ部４と第三円筒部５（５ｂ）に加えて、図２に示すように係る第三円筒部５（５ｂ）の同心円上の外郭に角筒部７（７ｂ）を立設した構造としたり、あるいは図示しないが第三円筒部５（５ｂ）の同心円上の外郭に第四円筒部を立設した構造としたりすれば、第二枠部材３の第三円筒部５（５ｂ）をより簡単かつ強固に接続することができるので好適である。
【００３８】
なお、第二枠部材３におけるフランジ部４の外周、ビス孔８、作製方法については、［００３３］、［００３４］、［００３５］の記載と同様である。
【００３９】
（接続構造）
次に、上記のように構成された取り出し口用保護具の動作および作用を説明する。具体的には、第一枠部材と第二枠部材との接続構造として好ましい、嵌合構造の一例である第一の実施形態に係る取り出し口用保護具と螺合構造の一例である第二の実施形態に係る取り出し口用保護具を用いて説明する。
図５は本考案の第一の実施形態に係る取り出し口用保護具の設置手順を示す模式図であり、図６は本考案の第二の実施形態に係る取り出し口用保護具の設置手順を示す模式図であり、図７は本考案の取り出し口用保護具をタオルの収納棚に設置した状態を上方から見た模式図であり、図８は本考案の取り出し口用保護具をタオルの収納棚に設置した状態を下方から見た模式図であり、図９は本考案の取り出し口用保護具を設置したタオルの収納棚にタオルを収納した状態を示す模式図である。
【００４０】
（第一の実施形態、嵌合構造）
第一の実施形態である嵌合構造については、図１、２に示す、第一枠部材２（２ａ）の第一円筒部５（５ａ）の外周面９と第二枠部材３（３ａ）の第三円筒部５（５ｂ）の内周面１０が嵌合する構造を一例として動作および作用を説明する。
【００４１】
まず、収納容器または収納棚の底板１１（１１ａ）に予め開口１２（取り出し口）を開ける。ここで、開口１２の大きさ（外径）については第三円筒部５（５ｂ）の外径よりも大きく、且つ第一枠部材および第二枠部材の大きさ（外径）よりも小さければ良く、真円である必要はない。また、開口１２の断面の処理も行う必要もない。つまり、予め開ける開口１２については、第一枠部材および第二枠部材が装着できれば大雑把な形状で良いのである。
【００４２】
次に、図５（ａ）に示すように、第一枠部材２（２ａ）を係る開口１２に収納容器または収納棚の内側（収納容器または収納棚の底板１１（１１ａ）の上面側）から取り付け、第二枠部材３（３ａ）を係る開口１２に収納容器または収納棚の外側（収納容器または収納棚の底板１１（１１ａ）の下面側）から取り付ける。
そうすると、第一枠部材２（２ａ）の第一円筒部５（５ａ）の外周面９と第二枠部材３（３ａ）の第三円筒部５（５ｂ）の内周面１０が嵌合することによって第一枠部材２（２ａ）と第二枠部材３（３ａ）が接続されて取り出し口用保護具となり、図７、８に示すように、タオルの収納容器Ｓまたはタオルの収納棚Ｓの底板１１に予め開けた開口１２（取り出し口）に取り出し口用保護具１（１ａ）が設置されることになる。
【００４３】
そして、図９に示すように、タオルＴをタオルの収納容器Ｓまたはタオルの収納棚Ｓに収納し、開口１２（取り出し口）からタオルＴを下方に取り出すことによって使用する。
【００４４】
従って、本発明の取り出し口用保護具を用いれば、タオルの収納容器またはタオルの収納棚に使用するタオルの大きさ、形状、毛羽立ち度合いなどに適した取り出し口を後付で簡単に形成することができることになる。また、第一枠部材２（２ａ）の開口縁６は面取り加工をしており、さらに第一枠部材２（２ａ）の方が内側に位置するように接続される構造となっていることから、開口１２（取り出し口）からタオルを引き出す際にタオルを傷つけることなくタオルを取り出すことができることになる。
また、タオルの収納容器またはタオルの収納棚には大雑把な開口を開けるだけで、後付で簡単に取り出し口を形成することができることになる。
さらに、使用するタオルが変わった場合（使用するタオルの大きさ、形状、毛羽立ち度合いなどが変わった場合）であっても、別の取り出し口用保護具に交換するだけで、変更するタオルの大きさ、形状、毛羽立ち度合いなどに適した取り出し口を後付で簡単に形成することができることになる。
【００４５】
また、第一の実施形態である嵌合構造については、図５（ｂ）に示すように、嵌合状態を形成することができれば収納容器または収納棚の底板１１（１１ｂ）の厚みが変化した場合でも後付で簡単に設置することができることになる。
【００４６】
ここで、図１、２に示す形態については、第一枠部材２（２ａ）においては、第一円筒部５（５ａ）に加えて、第一円筒部５（５ａ）の同心円上の外郭に角筒部７（７ａ）が立設されている構造となっている。また、第二枠部材３（３ａ）についても、第三円筒部５（５ｂ）に加えて、第三円筒部５（５ｂ）の同心円上の外郭に角筒部７（７ｂ）が立設されている構造となっている。
つまり、図１、２に示す形態においては、第一枠部材２（２ａ）においては第一円筒部５（５ａ）の外郭の一部（具体的には第一円筒部５（５ａ）と角筒部７（７ａ）が接近している部分、例えば図１（ｂ）の部分）に溝部１３が形成され、第二枠部材３（３ａ）においては第三円筒部５（５ｂ）の外郭の一部（具体的には第三円筒部５（５ｂ）と角筒部７（７ｂ）が接近している部分、例えば図２（ｂ）の部分）に溝部１４が形成される構造となっているのである。
従って、本発明の取り出し口用保護具の接続構造を図１、２に示す嵌合構造とした場合には、第一円筒部５（５ａ）の外周面９と第三円筒部５（５ｂ）の内周面１０が嵌合することに加えて、図５（ａ）に示すように、第一円筒部５（５ａ）の外郭の一部に形成された溝部１３と第三円筒部５（５ｂ）の外郭の一部に形成された溝部１４とが嵌合することになり、２つの枠部材がより強固に接続することになるのである。
【００４７】
さらに、図１、２に示す形態については、第一枠部２（２ａ）材の角筒部７（７ａ）の外周面１５と第二枠部材３（３ａ）の角筒部７（７ｂ）の内周面１６についても嵌合することになる。
従って、図１、２に示す形態については、第一枠部材２（２ａ）の第一円筒部５（５ａ）の外周面９と第二枠部材３（３ａ）の第三円筒部５（５ｂ）の内周面１０による嵌合、溝部１３、１４による嵌合に加えて、第一枠部材２（２ａ）の角筒部７（７ａ）の外周面１５と第二枠部材３（３ａ）の角筒部７（７ｂ）の内周面１６による嵌合によっても第一枠部材２（３ａ）と第二枠部材３（３ａ）とは接続されることになり、より強固に接続することになるのである。
【００４８】
また、図示しないが、第一円筒部５（５ａ）の同心円上の外郭に第二円筒部を立設し、第三円筒部５（５ｂ）の同心円上の外郭に第四円筒部を立設した構造としている場合には、第一円筒部５（５ａ）の外郭の全部に第一円筒部５（５ａ）と第二円筒部による溝部が形成され、第三円筒部５（５ｂ）の外郭の全部に第三円筒部５（５ｂ）と第四円筒部による溝部が形成されることとなる。
従って、嵌合構造として第二円筒部および第四円筒部を立設した構造を採用した場合には、第一円筒部５（５ａ）の外郭の全部に形成された溝部と第三円筒部５（５ｂ）の外郭の全部に形成された溝部とが嵌合することによって、第一枠部材２（２ａ）の第一円筒部５（５ａ）の外周面９の全面と第二枠部材３（３ｂ）の第三円筒部５（５ｂ）の内周面１０の全面が嵌合することになり、２つの枠部材がより強固に接続することになるのである。
【００４９】
（第二の実施形態、螺合構造）
次に、第二の実施形態である螺合構造については、図３、４に示す、第一枠部材２（２ｂ）の第一円筒部５（５ａ）の外周面９と第二枠部材３（３ｂ）の第三円筒部５（５ｂ）の内周面１０が螺合する構造（より具体的には第一円筒部５（５ａ）の外周面９の全部にねじ溝１７（１７ａ）を設け、第三円筒部５（５ｂ）の内周面１０の一部にねじ溝１７（１７ｂ）を設けた構造）を一例として動作および作用を説明する。
なお、図３、４に示す形態においては、第一円筒部５（５ａ）の外周面９の全部と第三円筒部５（５ｂ）の内周面１０の一部にねじ溝を設けた構造としているが、これに限定されるものではなく、必要に応じて第一円筒部５（５ａ）の外周面９および第三円筒部５（５ｂ）の内周面１０の一部または全部にねじ溝を設けた構造とすることができる
さらに、図３、４に示す第一枠部材２（２ｂ）および第二枠部材３（３ｂ）については、フランジ部の形状を円形としているが、第一の実施形態の第一枠部材および第二枠部材と同様に四角形などの多角形とすることもできる。
【００５０】
そして、第二の実施形態においても、まず収納容器または収納棚の底板１１（１１ａ）に予め開口１２を開ける。なお、係る開口１２の形態については、［００４１］に記載したものと同じである。
【００５１】
次に、図６（ａ）に示すように、第一枠部材２（２ｂ）を係る開口１２に収納容器または収納棚の内側（収納容器または収納棚の底板１１（１１ａ）の上面側）から取り付け、第二枠部材３（３ｂ）を係る開口１２に収納容器または収納棚の外側（収納容器または収納棚の底板１１（１１ａ）の下面側）から、第三円筒部５（５ｂ）の内周面１０に設けたねじ溝１７（１７ｂ）を第一円筒部５（５ａ）の外周面９に設けたねじ溝１７（１７ａ）に螺合するように取り付ける。そうすると、第一円筒部５（５ａ）の外周面９と第三円筒部５（５ｂ）の内周面１０が螺合することによって、第一枠部材２（２ｂ）と第二枠部材３（３ｂ）が接続されて取り出し口用保護具となり、タオルの収納容器Ｓまたはタオルの収納棚Ｓの底板１１に予め開けた開口１２（取り出し口）に取り出し口用保護具１（１ｂ）が設置されることになる。
【００５２】
そしてその後の動作は、［００４３］の記載と同様となる。
【００５３】
従って、第二の実施形態である螺合構造においても、［００４４］に記載した内容と同じ効果が発現することになる。
そして、第二の実施形態である螺合構造においては、［００４４］に記載した内容に加えて、［００３４］に記載した螺合による締め付け効果が発現することから、第一枠部材２（２ｂ）と第二枠部材３（３ｂ）が収納容器または収納棚の底板１１上に一定の力で固定される効果も発現することになる。
【００５４】
また、第二の実施形態である螺合構造についても、図６（ｂ）に示すように、螺合状態を形成することができれば収納容器または収納棚の底板１１（１１ｂ）の厚みが変化した場合でも後付で簡単に設置することができることになる。
【産業上の利用可能性】
【００５５】
本考案の取り出し口用保護具は、タオルの収納容器またはタオルの収納棚に用いることができる。
【符号の説明】
【００５６】
１  取り出し口用保護具
１ａ  取り出し口用保護具
１ｂ  取り出し口用保護具
２  第一枠部材
２ａ  第一枠部材
２ｂ  第一枠部材
３  第二枠部材
３ａ  第二枠部材
３ｂ  第二枠部材
４  フランジ部
４ａ  フランジ部
４ｂ  フランジ部
５  円筒部
５ａ  円筒部（第一円筒部）
５ｂ  円筒部（第三円筒部）
６  開口縁（面取り加工）
７  角筒部
７ａ  角筒部
７ｂ  角筒部
８  ビス孔
９  第一円筒部の外周面
１０  第三円筒部の内周面
１１  底板
１２  開口（取り出し口）
１３  溝部
１４  溝部
１５  第一枠部材の角筒部の外周面
１６  第二枠部材の角筒部の内周面
１７  ねじ溝
１７ａ  ねじ溝
１７ｂ  ねじ溝
Ｓ  タオルの収納容器またはタオルの収納棚
Ｔ  タオル
【図１】
0003211501.tif 000003
【図２】
0003211501.tif 000004
【図３】
0003211501.tif 000005
【図４】
0003211501.tif 000006
【図５】
0003211501.tif 000007
【図６】
0003211501.tif 000008
【図７】
0003211501.tif 000009
【図８】
0003211501.tif 000010
【図９】
0003211501.tif 000011
【図１０】
0003211501.tif 000012
【手続補正書】
【提出日】平成29年5月16日(2017.5.16)
【手続補正１】
【補正対象書類名】実用新案登録請求の範囲
【補正対象項目名】全文
【補正方法】変更
【補正の内容】
【実用新案登録請求の範囲】
【請求項１】
タオルの収納容器またはタオルの収納棚の取り出し口に用いられる保護具であって、
前記収納容器または前記収納棚の内側から前記取り出し口の縁部に取付けられる第一枠部材と、
前記収納容器または前記収納棚の外側から前記取り出し口の縁部に取付けられ、かつ前記第一枠部材と接続する第二枠部材を備え、
前記第一枠部材の開口縁は面取り加工がされていることを特徴とする取り出し口用保護具。
【請求項２】
前記第一枠部材および前記第二枠部材が、
円形または多角形の開口を有するフランジ部と、
前記フランジ部の開口縁に立設した円筒部を備えたものであり、
前記第一枠部材の円筒部の外周面と前記第二枠部材の円筒部の内周面が嵌合することによって、前記第一枠部材と前記第二枠部材を接続するものであることを特徴とする請求項１に記載の取り出し口用保護具。
【請求項３】
前記第一枠部材および前記第二枠部材が、
円形または多角形の開口を有するフランジ部と、
前記フランジ部の開口縁に立設した円筒部を備えたものであり、
さらに前記第一枠部材の円筒部の外周面の一部または全部と、前記第二枠部材の円筒部の内周面の一部または全部にねじ溝を設け、
前記第一枠部材の円筒部の外周面に設けたねじ溝と前記第二枠部材の円筒部の内周面に設けたねじ溝を螺合することによって、前記第一枠部材と前記第二枠部材を接続するものであることを特徴とする請求項１に記載の取り出し口用保護具。
【請求項４】
前記第一枠部材が、
円形または多角形の開口を有するフランジ部と、
前記フランジ部の開口縁に立設した第一円筒部と、
前記第一円筒部の同心円上の外郭に立設した第二円筒部または前記第一円筒部の外郭に立設した角筒部を備えたものであり、
前記第二枠部材が、
円形または多角形の開口を有するフランジ部と、
前記フランジ部の開口縁に立設した第三円筒部を備えたものであり、
前記第一枠部材の第一円筒部と第二円筒部または前記第一枠部材の第一円筒部と角筒部によって形成される溝部の一部または全部に、前記第二枠部材の第三円筒部を嵌合することによって、前記第一枠部材と前記第二枠部材を接続するものであることを特徴とする請求項１に記載の取り出し口用保護具。
【請求項５】
前記第二枠部材が、
さらに前記第三円筒部の外郭に立設した角筒部を備えたものであり、
前記第一枠部材の第一円筒部の外周面と前記第二枠部材の円筒部の内周面が嵌合するとともに、前記第一枠部材の角筒部の外周面と前記第二枠部材の角筒部の内周面が嵌合することによって、前記第一枠部材と前記第二枠部材を接続するものであることを特徴とする請求項４に記載の取り出し口用保護具。
【請求項６】
前記第一枠部材および前記第二枠部材の外周が、
平面視多角形に形成されたものであることを特徴とする請求項１から請求項５のいずれか一項に記載の取り出し口用保護具。
【請求項７】
前記第一枠部材が有するフランジ部および／または前記第二枠部材が有するフランジ部に、
前記収納容器または前記収納棚に固定することができるビス孔を設けたことを特徴とする請求項２から請求項４のいずれか一項に記載の取り出し口用保護具。